(57)【要約】      （修正有）【課題】加湿器内に自動的に注水して水量を補充し、加湿器が霧化過程において、継続して恒常な水位を保ち、故障率を大きく低減できる上方給水型加湿器を提供する。【解決手段】上方給水型加湿器は、キャビティ１０と、キャビティ１０の中に装着されたアトマイザー、排気装置及び電気制御ボードと、Ｕ字型チャネル２０と、ボールフロートロッドバルブ３０と、を備え、キャビティ１０の中には、加水チャンバ１２０及び霧化チャンバが互いに離隔するように設けられ、Ｕ字型チャネル２０は、加水チャンバ１２０と霧化チャンバとに連通し、ボールフロートロッドバルブ３０は、上下にフロートすることによりＵ字型チャネル２０と霧化チャンバとの連接通路を開閉する。加湿器の霧化チャンバ内に自動的に注水して水量を補足し、加湿器の霧化チャンバ内の水を継続して安定した水位にさせ、加湿器の故障率を低減すると同時に、加湿器の安定性を確保できる。【選択図】図２
0003216577.tif 000002
【実用新案登録請求の範囲】
【請求項１】
キャビティと、前記キャビティの中に装着されたアトマイザー、排気装置及び電気制御ボードと、を備える上方給水型加湿器であって、
前記キャビティの表面には、前記排気装置と連通する排気口が開設され、
前記キャビティの上端開口は、水を加えることに用いられ、
前記キャビティの中には、加水チャンバと霧化チャンバとが互いに離隔するように設けられており、
前記上方給水型加湿器は、
前記キャビティの底壁に形成され、且つ前記加水チャンバと前記霧化チャンバとに連通するＵ字型チャネルと、
前記Ｕ字型チャネルと前記霧化チャンバとの接続部位に設けられ、且つ上下にフロートすることにより前記Ｕ字型チャネルと前記霧化チャンバとの連接通路を開閉するためのボールフロートロッドバルブと、
をさらに含むことを特徴とする上方給水型加湿器。
【請求項２】
前記Ｕ字型チャネルは、
前記加水チャンバと連通するように、前記加水チャンバの底壁に設けられる入水口と、
前記霧化チャンバと連通するように、前記霧化チャンバの底壁に設けられる排水口と、
前記入水口と前記排水口とを連接するＵ字状連接部と、
を含むことを特徴とする請求項１に記載の上方給水型加湿器。
【請求項３】
前記Ｕ字状連接部の底部には、取り外し可能なシールカバーが設けられていることを特徴とする請求項２に記載の上方給水型加湿器。
【請求項４】
前記ボールフロートロッドバルブは、ボールフロートと、リンクと、止水プラグと、を含み、
前記ボールフロートは、前記霧化チャンバの中に位置し、
前記止水プラグは、前記Ｕ字型チャンネルの前記排水口に近い位置に設けられ、前記排水口と接触する又は離脱し、
前記リンクは、前記排水口の中に穿設され、且つ前記ボールフロートと前記止水プラグとに連接されることを特徴とする請求項２に記載の上方給水型加湿器。
【請求項５】
前記霧化チャンバは、第一タンクと第二タンクとを含み、前記第一タンクと前記第二タンクとの底部には、ノッチがそれぞれ設けられており、前記第一タンクと前記第二タンクは、前記ノッチを介して互いに連通し、前記第一タンクの底部は、前記排水口と連通し、前記ボールフロートは、前記第一タンクの中に設けられ、前記アトマイザー及び前記排気装置は、前記第二タンクの中に設けられることを特徴とする請求項４に記載の上方給水型加湿器。
【請求項６】
前記排水口は、半球状の開口であり、前記止水プラグは、前記排水口に対応する球体であることを特徴とする請求項４に記載の上方給水型加湿器。
【請求項７】
前記排水口は、テーパ状の開口であり、前記止水プラグは、前記排水口２２０に対応する円錐体であることを特徴とする請求項４に記載の上方給水型加湿器。
【請求項８】
前記キャビティの側壁には、水位観察窓が設けられていることを特徴とする請求項１から７の何れか一項に記載の上方給水型加湿器。
【請求項９】
前記上方給水型加湿器は、前記キャビティの底部に設けられたボトムカバーをさらに含み、前記電気制御ボードは、前記キャビティの底壁と前記ボトムカバーとにより構成された空洞部に設けられることを特徴とする請求項１から７の何れか一項に記載の上方給水型加湿器。
【請求項１０】
前記上方給水型加湿器は、前記キャビティの頂部に設けられたトップカバーをさらに含み、前記トップカバーには、前記排気口と連通する排気孔が設けられていることを特徴とする請求項１から７の何れか一項に記載の上方給水型加湿器。
【考案の詳細な説明】
【技術分野】
【０００１】
本考案は、空気加湿装置に関し、特に上方から給水するような加湿器に関するものである。
【背景技術】
【０００２】
現在、国内外の加湿器の種類は、ほぼ同じであり、主に上方給水と下方給水という２つの形がある。下方から給水する場合、水槽を取り外して、１８０°を回転させて、ボトムアップのように水を加える。水を加えた後、水槽を元に戻す。しかし、このような給水方法は、気密性が悪く、操作に不便であり、且つ給水速度が遅すぎる。
【０００３】
上方給水の方式は、以上の欠点を克服できるが、従来の上方給水型の加湿器は、水を自動補充する機能を有さず、加湿器が霧化過程において恒常な水位を保持できないことになり、加湿器が故障し易い。従って、従来の加湿器の構造及び機能を改善する余地がある。
【考案の概要】
【考案が解決しようとする課題】
【０００４】
本考案は、従来の加湿器の欠点に鑑みてなされたものであり、自動的に注水して加湿器内の水位を補充でき、加湿器が霧化過程において、継続して恒常な水位を保ち、故障率を大きく低減できる上方給水型加湿器を提供することを目的とする。
【課題を解決するための手段】
【０００５】
上記の課題を解決するために、本考案に係る上方給水型加湿器は、キャビティと、前記キャビティの中に装着されたアトマイザー、排気装置及び電気制御ボードと、を備え、前記キャビティの表面には、前記排気装置と連通する排気口が開設され、前記キャビティの上端開口は、水を加えることに用いられ、前記キャビティの中には、加水チャンバ及び霧化チャンバが互いに離隔するように設けられており、前記上方給水型加湿器は、前記キャビティの底壁に形成され、且つ前記加水チャンバと前記霧化チャンバとに連通するＵ字型チャネルと、前記Ｕ字型チャネルと前記霧化チャンバとの接続部位に設けられ、且つ上下にフロートすることにより前記Ｕ字型チャネルと前記霧化チャンバとの連接通路を開閉するためのボールフロートロッドバルブと、をさらに含む。
【０００６】
さらに、前記Ｕ字型チャネルは、前記加水チャンバと連通するように、前記加水チャンバの底壁に設けられる入水口と、前記霧化チャンバと連通するように、前記霧化チャンバの底壁に設けられる排水口と、前記入水口と前記排水口とを連接するＵ字状連接部と、を含む。
【０００７】
さらに、前記Ｕ字状連接部の底部には、取り外し可能なシールカバーが設けられている。
【０００８】
前記ボールフロートロッドバルブは、ボールフロートと、リンクと、止水プラグと、を含み、前記ボールフロートは、前記霧化チャンバの中に位置し、前記止水プラグは、前記Ｕ字型チャンネルの前記排水口に近い位置に設けられ、前記排水口と接触する又は離脱し、前記リンクは、前記排水口の中に穿設され、且つ前記ボールフロートと前記止水プラグとに連接される。
【０００９】
前記霧化チャンバは、第一タンクと第二タンクとを含み、前記第一タンクと前記第二タンクとの底部には、ノッチがそれぞれ設けられており、前記第一タンクと前記第二タンクは、前記ノッチを介して互いに連通し、前記第一タンクの底部は、前記排水口と連通し、前記ボールフロートは、前記第一タンクの中に設けられ、前記アトマイザー及び前記排気装置は、前記第二タンクの中に設けられる。
【００１０】
さらに、前記排水口は、半球状の開口であり、前記止水プラグは、前記排水口に対応する球体である。
【００１１】
さらに、前記排水口は、テーパ状の開口であり、前記止水プラグは、前記排水口２２０に対応する円錐体である。
【００１２】
さらに、前記キャビティの側壁には、水位観察窓が設けられている。
【００１３】
さらに、前記上方給水型加湿器は、前記キャビティの底部に設けられたボトムカバーをさらに含み、前記電気制御ボードは、前記キャビティの底壁と前記ボトムカバーとにより構成された空洞部に設けられる。
【００１４】
さらに、前記上方給水型加湿器は、前記キャビティの頂部に設けられたトップカバーをさらに含み、前記トップカバーには、前記排気口と連通する排気孔が設けられている。
【考案の効果】
【００１５】
本考案は、加湿器のキャビネットの上端開口から水を加え、前記キャビネットを互いに離隔する加水チャンバと霧化チャンバとに設け、且つ前記キャビネットの底壁に前記加水チャンバと前記霧化チャンバとを連通するＵ字型チャンネルを設ける。さらに、本考案は、前記Ｕ字型チャンネルと前記霧化チャンバとの連通部位に、上下に浮動するボールフロートロッドバルブを設けることによって、前記Ｕ字型チャンネルと前記霧化チャンバとの連接通路を開閉する。これにより、前記ボールフロートロッドバルブの昇降を介して、前記加水チャンバ内の水が前記霧化チャンバ内へ流れ込むことがコントロールされる。従って、前記霧化チャンバ内のアトマイザーにより減らされた水は、前記霧化チャンバ内に自動的に注入されて水量を補足し、加湿器の前記霧化チャンバ内の水は、継続して安定した水位に処し、加湿器の故障率が低減されると同時に、安定性が確保される。また、本考案に係る上方給水型加湿器の構造は簡単であり、生産コストも低い。
【図面の簡単な説明】
【００１６】
【図１】本考案の上方給水型加湿器の構造を示す図である。
【図２】本考案の上方給水型加湿器の長手方向に沿う断面図である。
【図３】図２におけるA部の拡大図である。
【図４】本考案の上方給水型加湿器の分解図である。
【考案を実施するための形態】
【００１７】
以下、明細書の図面を参照しながら、本考案の構成、目的及び利点などを詳細に説明する。明らかなように、以下記述した実施例は、ただ本考案の一部の実施例であり、全ての実施例ではない。当業者は、下記の実施例に基づいて、何の創造的な労働を払わない前提下で得た他の実施例も、本考案の保護範囲内に含まれる。
【００１８】
本考案の実施例におけるあらゆる方向的な指示（例えば、上、下、左、右、前、後・・・）は、ある特定状態（図面に示すように）での各部品の間の相対的な位置関係、運動状況等を解釈することのみに用いられる。もし、当該特定状態が変えられた場合、前記方向的な指示も相応的に変更される。
【００１９】
本考案において、特に限定しない限り、用語「接続」、「固定」等は広い意味を表す。例えば、「固定」とは、固定接続であってもよく、取り外し可能な接続であってもよく、一体成型されてもよい。「接続」とは、機械的な接続であってもよく、電気的な接続であってもよく、直接連接であってもよく、間接連接であってもよく、ひいては、２つの部品の内部連通又は２つの部品の相互作用関係であってもよい。当業者にとって、具体的な状況に応じて上記の用語の本考案での具体的な意味を理解できる。
【００２０】
また、本考案において、「第一」、「第二」等に関わる説明は、目的を説明することのみに用いられ、関連部品の重要性を表明／示唆すること又は関連部品の数を指定することではない。これにより、「第一」、「第二」が付けられた部品は、少なくとも１つの当該部品を含むことを明示する又は暗示する。また、当業者が達成できる前提下で、各実施例の間の技術様態を組み合わせることが可能である。技術様態の組み合せが相互に矛盾する又は実現できない場合、新しく構成された技術提案は存在しないと見なされ、且つ本考案の請求項の保護範囲内に含まれない。
【００２１】
図１乃至図３に示すように、本考案に係る上方給水型加湿器１００は、キャビネット１０と、キャビネット１０の中に設けられたアトマイザーと、排気装置と、電気制御ボードと、を備える。本実施例の図面では、前記アトマイザー、前記排気装置及び前記電気制御ボードを示していない。キャビネット１０の表面には、前記排気装置と連通する排気口（図示せず）が開設されている。前記アトマイザーは、キャビネット１０の中の水を霧化して、それを前記排気装置を介して前記排気口から排出させて、空気を加湿して、空気湿度を上げる。ユーザは、キャビネット１０の上端開口１１０を介して上方給水型加湿器１００に水を加える。キャビネット１０内には、加水チャンバー１２０及び霧化チャンバー１３０が互いに離隔するように設けられている。本実施例において、前記アトマイザーは、超音波噴霧器を採用することができる。
【００２２】
上記の上方給水型加湿器１００は、Ｕ字型チャネル２０と、ボールフロートロッドバルブ３０と、をさらに含む。Ｕ字型チャネル２０は、キャビネット１０の底壁に形成され、且つ加水チャンバ１２０と霧化チャンバ１３０とを連通する。ボールフロートロッドバルブ３０は、Ｕ字型チャネル２０と霧化チャンバ１３０との接続部位に設けられ、且つ上下にフロートすることによりＵ字型チャネル２０と霧化チャンバ１３０との連接通路を開閉する。
【００２３】
本実施例において、キャビネット１０は、互いに離隔している加水チャンバ１２０と霧化チャンバ１３０とを含む。アトマイザー及び排気装置が霧化チャンバ１３０内に設けられることによって、上方給水型加湿器１００の水通路と気体通路とは分離され、気密性はよくなり、故障率も低減される。
【００２４】
上述したように、本考案に係る上方給水型加湿器１００は、キャビネット１０の上端開口１１０から水を加え、キャビネット１０を加水チャンバ１２０と霧化チャンバ１３０とに隔てるように設け、且つキャビネット１０の底壁１４０に加水チャンバ１２０と霧化チャンバ１３０とを連通するＵ字型チャンネル２０を設ける。これと同時に、本考案は、Ｕ字型チャンネル２０と霧化チャンバ１３０との連通部位に、上下に浮動するボールフロートロッドバルブ３０を設けることによって、Ｕ字型チャンネル２０と霧化チャンバ１３０との連通をコントロールする。つまり、ボールフロートロッドバルブ３０の昇降によって、加水チャンバ１２０内の水が霧化チャンバ１３０内へ流れ込むことがコントロールされる。従って、本考案の構成によって、加水チャンバ１２０内の水は、霧化チャンバ１３０内に自動的に注入され、霧化チャンバ１３０内のアトマイザーにより減らされた水を補足して、霧化チャンバ１３０内の水を継続して安定した水位にさせ、上方給水型加湿器１００内の水が多すぎることに起因して、噴霧量が小さくひいては霧化されない状況は防止され、製品の安定性も確保される。ちなみに、加湿器内の水が少なすぎると、噴霧量は大きくなり、水はすぐに使い切られ、加湿器は故障し易い。本考案の上方給水型加湿器１００は、ボールフロートロッドバルブ３０を採用して、霧化チャンバ１３０の水量をコントロールするものであり、構造が簡単であり、且つ生産コストも低く、普及し易い。
【００２５】
具体的には、図２及び図３に示すように、Ｕ字型チャンネル２０は、入水口２１０、排水口２２０及びＵ字状連接部２３０を含む。入水口２１０は、加水チャンバ１２０と連通するように、加水チャンバ１２０の底壁に設けられる。排水口２２０は、霧化チャンバ１３０と連通するように、霧化チャンバ１３０の底壁に設けられる。Ｕ字状連接部２３０は、入水口２１０と排水口２２０とを連接する。本実施例において、Ｕ字型チャンネル２０は、Ｕ字状の水道管である。
【００２６】
好ましくは、Ｕ字状連接部２３０の底部には、取り外し可能なシールカバー２３１０が設けられている。シールカバー２３１０の存在によって、Ｕ字型チャンネル２０のクリーニングとメンテナンスは便利になる。
【００２７】
本考案のボールフロートロッドバルブ３０は、霧化チャンバ１３０内に位置するボールフロート３１０と、リンク３２０と、止水プラグ３３０と、を備える。リンク３２０は、排水口２２０の中に穿設され、且つボールフロート３１０と止水プラグ３３０とに連接される。止水プラグ３３０は、Ｕ字型チャンネル２０の排水口２２０に近い位置に設けられ、排水口２２０と接触する又は離脱する。リンク３２０によって、ボールフロート３１０のフローティング及び落下動作は、止水プラグ３３０に作用する。止水プラグ３３０がボールフロート３１０の浮力効果によって、排水口２２０と接触し且つ排水口２２０を閉め切る場合に、排水口２２０が閉じられ、加水チャンバ１２０内の水が霧化チャンバ１３０内へ流れ込むことは停止する。他方では、止水プラグ３３０が重力作用によって、排水口２２０から離脱する場合、排水口２２０は開かれ、加水チャンバ１２０内の水は霧化チャンバ１３０内に流れ込む。
【００２８】
好ましくは、霧化チャンバ１３０は、第一タンク１３１０と第二タンク１３２０を含む。第一タンク１３１０と第二タンク１３２０との底部には、ノッチ１３３０がそれぞれ設けられる。第一タンク１３１０と第二タンク１３２０は、ノッチ１３３０を介して互いに連通する。第一タンク１３１０の底部は、排水口２２０と連通する。ボールフロート３１０は、第一タンク１３１０内に設けられる。前記アトマイザー及び前記排気装置は、第二タンク１３２０内に設けられる。ボールフロート３１０が第一タンク１３１０内に単独に装着されることによって、ボールフロート３１０が揺れ動き、排水口２２０を開閉効果に悪影響を与えることが防止される。また、前記アトマイザー及び前記排気装置を第二タンク１３２０内に装着することによって、ボールフロートロッドバルブ３０の前記アトマイザーに対する干渉を防止できると共に、前記排気装置に第二タンク１３２０からキャビネット１０の排気口に排出する単独な排気パイプを設けて、上方給水型加湿器１００の水道と気道とを分けて、動作不良を削減することができる。
【００２９】
本考案の１つの実施例として、図３に示すように、排水口２２０は、半球状の開口である。これに対応して、止水プラグ３３０は、排水口２２０に対応する球体であり、排水口２２０を完全に閉鎖又は開放することができる。
【００３０】
また、本考案のもう１つの実施例として、排水口２２０はテーパ状の開口である。これに対応して、止水プラグ３３０は、排水口２２０に対応する円錐体である。
【００３１】
本考案に係るキャビティ１０の側壁には、水位観察窓４０が設けられている。ユーザは、水位観察窓４０を介して霧化チャンバ１３０内の水位を観察し、キャビティ１０内にタイムリーに水を加えて、霧化チャンバー１３０の水位を恒常なレベルに保ち、上方給水型加湿器１００に安定した作動環境を提供する。
【００３２】
好ましくは、図４に示すように、本考案の上方給水型加湿器１００は、キャビティ１０の底部に設けられたボトムカバー５０をさらに含む。前記電気制御ボードは、キャビティ１０の底壁１４０とボトムカバー５０とにより構成された空洞部に設けられる。ボトムカバー５０は、前記空洞部内に装着された電子部品を保護する。
【００３３】
また、本考案の上方給水型加湿器１００は、キャビティ１０の頂部に設けられたトップカバー６０をさらに含む。トップカバー６０には、前記排気口と連通する排気孔６１０が設けられている。トップカバー６０は、異物などがキャビティ１０の中に入ることを防止して、キャビティ１０内の部品を保護する。勿論、使用過程において、トップカバー６０を取り出して、それを使わなくてもよい。
【００３４】
以下、本考案の上方給水型加湿器１００の使用方法及び作動原理を詳細に説明する。
【００３５】
使用する場合には、キャビティ１０の上端の開口１１０から加水チャンバ１２０の中に水を加える。すると、水は、入水口２１０からＵ字型チャネル２０内に入り、Ｕ字状連接部２３０を流れて、排水口２３０を介して霧化チャンバ１３０の第一タンク１３１０内に流入する。第一タンク１３１０内の水は、その底部のノッチ１３３０から第二タンク１３２０内に入る。これにより、霧化チャンバ１３０の第一タンク１３１０と第二タンク１３２０の水位は同じレベルに位置する。水量の増加に伴って、加水チャンバ１２０内の水は、霧化チャンバ１３０内に絶えず流入し、霧化チャンバ１３０の中に位置するボールフロート３１０は、水の浮力作用によって浮かび始める。ボールフロート３１０は、フローティングする過程において、リンク３２０を介して、止水プラグ３３０が排水口２２０と緊密に接触するまで止水プラグ３３０を引き上げる。この時、止水プラグ３３０は、Ｕ字型チャネル２０と霧化チャンバ１３０との連接通路（給水通路）を閉鎖し、加水チャンバ１２０内の水は、Ｕ字型チャネル２０を介して霧化チャンバ１３０内に流入しなくなり、霧化チャンバ１３０内の水は、恒常なレベルに保たれる。前記アトマイザーの霧化作用によって、第二タンク１３２０内の水は減らされ、それに連通する第一タンク１３１０内の水も減らされる。水位の降下に伴って、ボールフロート３１０も降下する。リンク３２０の作用下で、止水プラグ３３０は降下し且つ排水口２２０から離脱して、排水口２２０を開く。その後、加水チャンバ１２０内の水は、再びＵ字型チャンネル２０を介して霧化チャンバ１３０内に入って、止水プラグ３３０が排水口２２０を閉鎖するまで霧化チャンバ１３０内の水を補足する。このように繰り返して、霧化チャンバ１３０内の水位は、自動的に調節され、一定のレベルが保たれ、上方給水型加湿器１００の故障率を大きく低減される。これと同時に、キャビティ１０の側壁には水位観察窓４０が設けられたので、霧化チャンバ１３０内の水位が所定位置まで降下する場合、例えば、止水プラグ３３０がちょうど排水口２２０から離脱する時に、手動又は自動でキャビティ１０の中に水を加えることにより、霧化チャンバ１３０内の水位は、継続して固定した位置に保持される。
【００３６】
要約すると、本考案の上方給水型加湿器１００を使用することで、以下の有利な技術効果を奏することができる。
【００３７】
（１）本考案の上方給水型加湿器１００自体には、ボールフロートロッドバルブ３０が付いており、加水する時に、トップカバーを開くだけで注水でき、迅速で容易である。
（２）本考案の上方給水型加湿器１００のキャビティ１０の内部の水道及び気道は、ブロックされておらず、水はキャビティ１０の中でスケーリングしに難くなり、加湿器の故障率は最低限に抑えられる。
（３）本考案において、Ｕ字型チャネル２０は、水位の精度を確保し、且つ洗浄回数を効果的に減らすことができると共に、取り外しが簡単なシールカバーを設けることにより、クリーニングとメンテナンスは便利になる。
（４）本考案の上方給水型加湿器１００の構造が簡単であり、気密性が良好であり、コストも低く、使用に便利である。
【００３８】
以上、好適な具体例を挙げて本考案を説明してきたが、本考案は、上述の実施形態に限定されるものではなく、その要旨を逸脱しない範囲において、種々な変更又は取替えが可能であることは言うまでもない。この変更又は取替えに基づく様々な変形例も本考案の保護範囲に含まれることは明らかである。
【符号の説明】
【００３９】
１００    上方給水型加湿器
１０      キャビティ
１１０    上端開口
１２０    加水チャンバ
１３０    霧化チャンバ
１３１０  第一タンク
１３２０  第二タンク
１３３０  ノッチ
１４０    底壁
２０      Ｕ字型チャネル
２１０    入水口
２２０    排水口
２３０    Ｕ字状連接部
２３１０  シールカバー
３０      ボールフロートロッドバルブ
３１０    ボールフロート
３２０    リンク
３３０    止水プラグ
４０      水位観察窓
５０      ボトムカバー
６０      トップカバー
６１０    排気孔
【図１】
0003216577.tif 000003
【図２】
0003216577.tif 000004
【図３】
0003216577.tif 000005
【図４】
0003216577.tif 000006